(57)【特許請求の範囲】
【請求項１】
バッテリーポストに接続されるバッテリーポスト接続部と、
シャント抵抗に接続されるシャント抵抗接続部と、
平板状の部材であり、前記シャント抵抗接続部と同じ平面に位置しており、前記バッテリーポスト接続部及び前記シャント抵抗接続部が接続されるベース部と、
を備え、
前記ベース部には、矩形状の切欠き部が形成されるとともに、当該切欠き部の近傍に折曲げ部が形成され、
前記ベース部から前記シャント抵抗接続部への突出方向に垂直な方向の長さを幅と称したとき、前記シャント抵抗接続部の幅は前記ベース部の幅の半分以下であることを特徴とするバッテリーポスト端子。
【請求項２】
請求項１に記載のバッテリーポスト端子であって、
前記ベース部の厚み方向で見たときにおいて、前記切欠き部と、前記折曲げ部と、が前記ベース部の厚みよりも離れていることを特徴とするバッテリーポスト端子。
【請求項３】
請求項１又は２に記載のバッテリーポスト端子であって、
前記ベース部のうち、前記バッテリーポスト接続部が接続される側の端部をバッテリーポスト側端部と称し、
前記ベース部のうち、前記シャント抵抗接続部が接続される側の端部をシャント抵抗側端部と称し、
前記ベース部のうち、前記バッテリーポスト側端部と前記シャント抵抗側端部の間に位置する端部を横側端部と称したときに、
前記折曲げ部は前記横側端部に形成されており、当該折曲げ部の折れ目が前記横側端部と略平行であることを特徴とするバッテリーポスト端子。
【請求項４】
請求項３に記載のバッテリーポスト端子であって、
前記切欠き部は、少なくとも前記バッテリーポスト側端部を切り欠くように形成されていることを特徴とするバッテリーポスト端子。
【請求項５】
請求項４に記載のバッテリーポスト端子であって、
前記切欠き部は、前記バッテリーポスト側端部及び前記横側端部を切り欠くように形成されていることを特徴とするバッテリーポスト端子。
【発明の詳細な説明】
【技術分野】
【０００１】
本発明は、バッテリーポストとシャント抵抗等を接続するバッテリーポスト端子に関する。
【背景技術】
【０００２】
従来から、バッテリーの状態を検知するバッテリー状態検出装置（バッテリーセンサ）が知られている。このようなバッテリー状態検出装置は、例えば特許文献１に記載されている。
【０００３】
特許文献１のバッテリー状態検出装置は、バッテリーポストに接続するためのバッテリーポスト端子と、シャント抵抗と、回路基板と、を備えている。シャント抵抗は、前記バッテリーポスト端子に対して電気的に接続されている。回路基板は、前記シャント抵抗の両端の電位差を測定することにより、バッテリーポスト端子に流れた電流を測定できるように構成されている。なお、シャント抵抗及び回路基板は本体ケースの内部に配置されている。
【０００４】
特許文献２のバッテリーポスト端子には、バッテリーポストを把持する把持部と、ワイヤハーネス等が接続される接続孔と、が形成されている。このバッテリーポスト端子には、把持部と接続孔の間の板材に段差が形成されている。
【先行技術文献】
【特許文献】
【０００５】
【特許文献１】特開２０１１−２１０６１０号公報
【特許文献２】特開２０１３−２５１１９７号公報
【発明の概要】
【発明が解決しようとする課題】
【０００６】
ここで、特許文献２のバッテリーポスト端子に特許文献１のような本体ケースをインサート成型する場合、バッテリーポスト端子の段差を位置決め部として用いる方法が考えられる。しかし、この方法では、段差の形成位置に高い寸法精度が要求される。また、特許文献２のように段差が形成されたバッテリーポスト端子は、端子の大きさが大きくなる。
【０００７】
また、バッテリーポスト端子の段差をなくし代わりに位置決め用の孔を形成した場合、特にバッテリーポスト端子が小さいこともり、強度が大きく低下してしまう。
【０００８】
本発明は以上の事情に鑑みてされたものであり、その主要な目的は、簡単な構造で位置決めが可能であり、強度が確保されたバッテリーポスト端子を提供することにある。
【課題を解決するための手段及び効果】
【０００９】
本発明の解決しようとする課題は以上の如くであり、次にこの課題を解決するための手段とその効果を説明する。
【００１０】
本発明の観点によれば、以下の構成のバッテリーポスト端子が提供される。即ち、このバッテリーポスト端子は、バッテリーポスト接続部と、シャント抵抗接続部と、ベース部と、を備える。前記バッテリーポスト接続部は、バッテリーポストに接続される。前記シャント抵抗接続部は、シャント抵抗に接続される。前記ベース部は、平板状の部材であり、前記シャント抵抗接続部と同じ平面に位置しており、前記バッテリーポスト接続部及び前記シャント抵抗接続部が接続される。前記ベース部には、矩形状の切欠き部が形成されるとともに、当該切欠き部の近傍に折曲げ部が形成される。前記ベース部から前記シャント抵抗接続部への突出方向に垂直な方向の長さを幅と称したとき、前記シャント抵抗接続部の幅は前記ベース部の幅の半分以下である。
【００１１】
これにより、ベース部に形成された切欠き部でインサート成型等の位置決めを行うことができる。また、切欠き部の近傍に折曲げ部を形成したため、段差をなくして切欠き部を形成した構成であっても強度を確保することができる。
【００１２】
前記のバッテリーポスト端子においては、前記ベース部の厚み方向で見たときにおいて、前記切欠き部と、前記折曲げ部と、が前記ベース部の厚みよりも離れていることが好ましい。
【００１３】
これにより、バッテリーポスト端子に折曲げ部を形成する際に切欠き部の位置がズレることを防止できる。
【００１４】
前記のバッテリーポスト端子においては、前記ベース部のうち、前記バッテリーポスト接続部が接続される側の端部をバッテリーポスト側端部と称し、前記ベース部のうち、前記シャント抵抗接続部が接続される側の端部をシャント抵抗側端部と称し、前記ベース部のうち、前記バッテリーポスト側端部と前記シャント抵抗側端部との間に位置する端部を横側端部と称したときに、前記折曲げ部は前記横側端部に形成されており、当該折曲げ部の折れ目が前記横側端部と略平行である。
【００１５】
これにより、ねじり等の外力への耐性を向上させることができる。
【００１６】
前記のバッテリーポスト端子においては、前記切欠き部は、少なくとも前記バッテリーポスト側端部を切り欠くように形成されていることが好ましい。
【００１７】
これにより、バッテリーポスト側端部でバッテリーポスト端子の位置決めを行うことができる。
【００１８】
前記のバッテリーポスト端子においては、前記切欠き部は、前記バッテリーポスト側端部及び前記横側端部を切り欠くように形成されていることが好ましい。
【００１９】
これにより、ベース部の隅に切欠き部が形成されるため、切欠き部を形成する作業が簡単となる場合がある。
【図面の簡単な説明】
【００２０】
【図１】本発明の一実施形態に係るバッテリー状態検出装置の使用状態を示す斜視図。
【図２】バッテリーポスト端子の平面図。
【図３】バッテリーポスト端子にシャント抵抗を取り付ける様子を示す斜視図。
【図４】ケースを成型する様子を示す斜視図。
【図５】ケース内に回路基板等を収容する様子を示す斜視図。
【発明を実施するための形態】
【００２１】
次に、図面を参照して本発明の実施の形態を説明する。図１に示すように、本実施形態のバッテリー状態検出装置１は、自動車等が備えるバッテリー２が有するバッテリーポスト３に接続され、バッテリー２から流れた電流を検出する。バッテリー状態検出装置１は、バッテリーポスト端子１０と、シャント抵抗２０と、回路基板３０と、ケース４０と、を備える。
【００２２】
バッテリーポスト端子１０は、金属板をプレスないし折り曲げ加工することにより形成されている。バッテリーポスト端子１０は、ベース部１１と、バッテリーポスト接続部１２と、シャント抵抗接続部１３と、を備える。
【００２３】
ベース部１１は、平板状の部分であり、バッテリーポスト接続部１２及びシャント抵抗接続部１３が接続される。なお、ベース部１１、バッテリーポスト接続部１２、及びシャント抵抗接続部１３は、同じ平板から形成されるので、これらは一体的に構成されていると表現することもできる。
【００２４】
以下では、ベース部１１のうち、バッテリーポスト接続部１２が接続される側（図２の左側）の端部をバッテリーポスト側端部６１と称し、シャント抵抗接続部１３が接続される側（図２の右側）の端部をシャント抵抗側端部６２と称する。また、ベース部１１のうち、バッテリーポスト側端部６１とシャント抵抗側端部６２の間に位置する２箇所の端部（図２の上下端に位置し左右方向に延びる端部）を横側端部６３と称する。なお、横側端部６３の稜線は、バッテリーポスト側端部６１及びシャント抵抗側端部６２の稜線と略垂直である。
【００２５】
バッテリーポスト側端部６１と横側端部６３とが交わる部分（２箇所）には、それぞれ矩形状の切欠き部６４が形成されている。また、２つの横側端部６３の中央よりもバッテリーポスト接続部１２側には、ベース部１１の厚み方向（ベース部１１の垂線方向）に沿うように略直角に折り曲げた折曲げ部６５がそれぞれ形成されている。また、バッテリーポスト接続部１２の近傍には、ベース部１１の厚み方向の一側（上側）に向けて凸となるように形成されたボス部６６が２箇所形成されている。切欠き部６４、折曲げ部６５、及びボス部６６の機能については後述する。
【００２６】
バッテリーポスト接続部１２は、ベース部１１のバッテリーポスト側端部６１と一体で加工されている。バッテリーポスト接続部１２は、内面に複数の溝が形成された筒状の部分である。バッテリーポスト接続部１２は、筒状の部分にバッテリーポスト３を挿入した状態で、締付ボルト１４を締め付けることにより、筒状の内部の溝がバッテリーポスト３の周面に食い込む。これにより、バッテリーポスト端子１０をバッテリーポスト３に対して電気的及び機械的に接続することができる。
【００２７】
シャント抵抗接続部１３は、ベース部１１のシャント抵抗側端部６２に接続されている。シャント抵抗接続部１３は、金属の平板状の部材であり、ベース部１１と一体的に構成されている。図２の平面図において、ベース部１１からのシャント抵抗接続部１３の突出方向に垂直な方向を幅方向と称したとき、シャント抵抗接続部１３の幅はベース部１１の幅の半分以下である。また、シャント抵抗接続部１３は、段差なくベース部１１と接続されている（換言すれば同じ平面に位置されている）。
【００２８】
このようにベース部１１を平板状に構成することで、ベース部１１に段差を設ける構成と比較して、バッテリーポスト端子１０のサイズを低減させることができる。
【００２９】
ケース４０は樹脂製の箱状の部材である。図５に示すようにケース４０の内部には、バッテリーポスト端子１０の一部、シャント抵抗２０の一部、及び回路基板３０等が収容されている。図４に示すようにケース４０は、シャント抵抗２０の一部と、前記バッテリーポスト端子１０の一部と、を金型に挿入した状態でインサート成型される。
【００３０】
シャント抵抗２０は、図３及び図４に示すように、第１導体部２１と第２導体部２２の間に、抵抗値が既知の抵抗体２３（例えばマンガニン）を配置した構成となっている。第１導体部２１、第２導体部２２、及び抵抗体２３は、それぞれ平板状に形成されている。これにより、シャント抵抗２０の全体が平板状となっている。
【００３１】
第１導体部２１の一部はケース４０から外部に突出して配置されており、当該突出した部分にハーネス接続部２４が設けられている。ハーネス接続部２４は、ボルト（スタッドボルト）として構成されている。ハーネスの先端の環状の端子をハーネス接続部２４に挿通した後にナットを締め付けることで、ハーネス接続部２４にハーネスを接続することができる。シャント抵抗２０の第２導体部２２には、バッテリーポスト端子１０のシャント抵抗接続部１３が溶接等により接続される。
【００３２】
図２に示すように、シャント抵抗２０の第１導体部２１及び第２導体部２２には、それぞれ基板接続端子２５が１つずつ設けられている。本実施形態の基板接続端子２５は、細長い板状の金属部材を、略Ｕ字状に折り曲げた形状であり、中間部が第１導体部２１及び第２導体部２２にそれぞれ溶接されている。基板接続端子２５は、それぞれ回路基板３０上に実装された電子回路に適宜接続される。これにより、回路基板３０上の電子回路と、シャント抵抗２０と、が電気的に接続される。
【００３３】
回路基板３０は、抵抗体２３に流れた電流の大きさ等を基板接続端子２５を介して検出するように構成されている。図５に示すようにケース４０は、検出結果を出力するコネクタ４１を備えている。回路基板３０は、コネクタ４１内の出力端子４２に接続されており、当該出力端子４２を介して検出結果を出力するように構成されている。コネクタ４１に接続された外部の装置（例えば、自動車が備えるエンジンコントロールユニット（ＥＣＵ））は、コネクタ４１から出力された検出結果に基づいて、バッテリーの状態を判断する。
【００３４】
次に、ベース部１１に形成された切欠き部６４、折曲げ部６５、及びボス部６６について詳細に説明する。
【００３５】
初めに、バッテリーポスト端子１０の強度を確保する必要性について簡単に説明する。前述のように、バッテリー状態検出装置１においては、ハーネス接続部２４に対してナットを締め付けることにより、当該ハーネス接続部２４にハーネスを接続する。ナットを締め付けるために作業者が力を加えた場合等において、バッテリーポスト端子１０にトルクが加わる場合がある。従って、バッテリーポスト端子１０は、上記トルクによって変形しない程度の強度が求められる。特に、本実施形態のようにベース部１１が平板状である場合、ねじりに弱い構造となるため、上記トルクによって変形し易くなってしまう。
【００３６】
また、切欠き部６４は、バッテリーポスト側端部６１及びシャント抵抗側端部６２が交わる箇所に形成されており、バッテリーポスト端子１０を金型に配置してケース４０をインサート成型する際の位置決めとして用いられる。切欠き部６４を用いて位置決めを行う構成は、孔を形成して位置決めを行う構成よりは強度に優れるが、ベース部１１に折曲げを形成する構成よりは強度が落ちることがあり、上記トルクに十分な耐性がない場合も考えられる。
【００３７】
これを考慮し、本実施形態では、切欠き部６４の近傍に折曲げ部６５を形成している。なお、折曲げ部６５の折れ目は、横側端部６３の稜線（形状線）と略平行である。また、ベース部１１にボス部６６を形成している。
【００３８】
折曲げ部６５及びボス部６６により、バッテリーポスト端子１０がねじれに強い構造となり、当該バッテリーポスト端子１０の強度を確保できる。従って、ナットの締め付け時にバッテリーポスト端子１０に上記トルクがかかったとしても、当該バッテリーポスト端子１０が変形することを防止できる。
【００３９】
特に、本実施形態のバッテリーポスト端子１０では、折曲げ部６５及びボス部６６は、図２の仮想線７１（横側端部６３に平行な仮想線）を対称線として対称に配置されている。これにより、折曲げ部６５及びボス部６６が適当な間隔を空けてバランス良く配置される。従って、バッテリーポスト端子１０に上記トルクがかかった場合であっても、負荷が適度に分散されるので、当該バッテリーポスト端子１０が更に変形しにくくなっている。
【００４０】
なお、切欠き部６４と折曲げ部６５とは、ベース部１１の厚み方向（図２）で見たときにおいて、所定の間隔（図２の間隔Ｌ）を空けて形成されている。本実施形態においてこの間隔Ｌは、バッテリーポスト端子１０の板厚よりも大きい。これにより、折曲げ部６５を形成する際に、切欠き部６４の位置がズレることを防止できる。そのため、バッテリーポスト端子１０を高精度に位置決めすることができる。
【００４１】
以上に説明したように、本実施形態のバッテリーポスト端子１０は、バッテリーポスト接続部１２と、シャント抵抗接続部１３と、ベース部１１と、を備える。バッテリーポスト接続部１２は、バッテリーポスト３に接続される。シャント抵抗接続部１３は、シャント抵抗２０に接続される。ベース部１１は、平板状の部材であり、シャント抵抗接続部１３と同じ平面に位置しており、バッテリーポスト接続部１２及びシャント抵抗接続部１３が接続される。ベース部１１には、矩形状の切欠き部６４が形成されるとともに、当該切欠き部６４の近傍に折曲げ部６５が形成される。
【００４２】
これにより、ベース部１１に形成された切欠き部６４でインサート成型等の位置決めを行うことができる。また、切欠き部６４の近傍に折曲げ部６５を形成したため、段差をなくして切欠き部６４を形成した構成であっても強度を確保することができる。
【００４３】
また、本実施形態のバッテリーポスト端子１０においては、ベース部１１の厚み方向で見たときにおいて、切欠き部６４と、折曲げ部６５と、がベース部１１の厚みよりも離れている。
【００４４】
これにより、バッテリーポスト端子１０に折曲げ部６５を形成する際に切欠き部６４の位置がズレることを防止できる。
【００４５】
また、本実施形態のバッテリーポスト端子１０において、折曲げ部６５は横側端部６３に形成されており、折曲げ部６５の折れ目が横側端部６３と略平行である。
【００４６】
これにより、ねじり等の外力への耐性を向上させることができる。
【００４７】
また、本実施形態のバッテリーポスト端子１０において、切欠き部６４は、バッテリーポスト側端部６１及び横側端部６３を切り欠くように形成されている。
【００４８】
これにより、バッテリーポスト側端部６１で位置決めを行うことができるとともに、切欠き部６４を形成する作業が簡単となる。
【００４９】
以上に本発明の好適な実施の形態を説明したが、上記の構成は例えば以下のように変更することができる。
【００５０】
ベース部１１の形状、特にベース部１１に形成される切欠き部６４、折曲げ部６５、及びボス部６６の位置、大きさ、数は適宜変更できる。例えば、バッテリーポスト側端部６１のみが切り欠かれるように切欠き部６４を形成しても良い。この場合、横側端部６３の端部から折曲げ部６５が形成されていても切欠き部６４の位置がズレないため、そのような構成を採用できる。
【００５１】
バッテリーポスト接続部１２の径は、接続されるバッテリーポスト３の径等に応じて適宜変更できる。また、シャント抵抗接続部１３がベース部１１に接続される位置及びシャント抵抗接続部１３の大きさもシャント抵抗２０に応じて適宜変更できる。
【符号の説明】
【００５２】
１  バッテリー状態検出装置
１０  バッテリーポスト端子
１１  ベース部
１２  バッテリーポスト接続部
１３  シャント抵抗接続部
２０  シャント抵抗
３０  回路基板
４０  ケース
６１  バッテリーポスト側端部
６２  シャント抵抗側端部
６３  横側端部
６４  切欠き部
６５  折曲げ部
６６  ボス部
【図１】
0006339447.tif 000002
【図２】
0006339447.tif 000003
【図３】
0006339447.tif 000004
【図４】
0006339447.tif 000005
【図５】
0006339447.tif 000006